(57)【要約】  本開示は、バックグラウンドアプリケーションの表示方法及び移動端末を提供し、当該方法は、バックグラウンドアプリケーションインタフェース（１０１）を表示することと、前記バックグラウンドアプリケーションインタフェースにおけるアプリケーションアイコン又はアプリケーションインタフェースのサムネイルに対する第１の入力を受信すると、バックグラウンドアプリケーションの分類インタフェース（１０２）を表示することとを含む。
2021523510.tif 000002
【特許請求の範囲】
【請求項１】
移動端末に適用されるバックグラウンドアプリケーションの表示方法であって、
少なくとも１つのバックグラウンドアプリケーションのアプリケーションアイコン又はアプリケーションインタフェースのサムネイルを含むバックグラウンドアプリケーションインタフェースを表示することと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示することと、を含む、バックグラウンドアプリケーションの表示方法。
【請求項２】
前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、
前記バックグラウンドアプリケーションの分類インタフェースを表示した後に、
アプリケーションアイコン又はアプリケーションインタフェースのサムネイルに表示される終了ボタンに対する第２の入力を受信すると、前記第２の入力に対応するバックグラウンドアプリケーションを終了させ、或いは
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させ、或いは
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うことをさらに含む、請求項１に記載の方法。
【請求項３】
前記バックグラウンドアプリケーションの分類インタフェースを表示した後に、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示することをさらに含む、請求項２に記載の方法。
【請求項４】
前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は
アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む、請求項１に記載の方法。
【請求項５】
前記バックグラウンドアプリケーションの分類インタフェースを表示した後に、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示することをさらに含む、請求項１〜４のいずれか１項に記載の方法。
【請求項６】
少なくとも１つのバックグラウンドアプリケーションのアプリケーションアイコン又はアプリケーションインタフェースのサムネイルを含むバックグラウンドアプリケーションインタフェースを表示するための第１の表示モジュールと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示するための第２の表示モジュールとを含む、移動端末。
【請求項７】
前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、
前記移動端末は、
アプリケーションアイコン又はアプリケーションインタフェースのサムネイルに表示される終了ボタンに対する第２の入力を受信すると、前記第２の入力に対応するバックグラウンドアプリケーションを終了させるための第１の終了モジュール、又は
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させるための第２の終了モジュール、又は
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うための切り替えモジュールをさらに含む、請求項６に記載の移動端末。
【請求項８】
前記移動端末は、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示するための第３の表示モジュールをさらに含む、請求項７に記載の移動端末。
【請求項９】
前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は
アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む、請求項６に記載の移動端末。
【請求項１０】
前記移動端末は、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示するための第４の表示モジュールをさらに含む、請求項６〜９のいずれか１項に記載の移動端末。
【請求項１１】
メモリと、プロセッサと、前記メモリに記憶され、前記プロセッサ上で実行可能で前記プロセッサによって実行されると、請求項１〜５のいずれか１項に記載のバックグラウンドアプリケーションの表示方法のステップを実現するコンピュータプログラムと、を含む、移動端末。
【発明の詳細な説明】
【技術分野】
【０００１】
本願は、２０１８年７月１３日に提出された中国特許出願第２０１８１０７７０３３３．０号の優先権を主張するものであり、そのすべての内容は参照により本願に取り込まれるものとする。
【０００２】
本開示は、通信の技術分野、特にバックグラウンドアプリケーションの表示方法及び移動端末に関する。
【背景技術】
【０００３】
移動端末の急速な発展に伴い、移動端末は、人々の生活に欠かせないツールとなり、生活のあらゆる面でユーザに大きな利便性をもたらす。移動端末は、通常、バックグラウンドで複数のアプリケーションを実行することをサポートする。実際の使用では、移動端末が複数のバックグラウンドアプリケーションを表示する場合、各バックグラウンドアプリケーションを個別に表示する必要があり、これにより、現在のバックグラウンドアプリケーションの表示方法では、操作が不便になってしまう。
【発明の概要】
【０００４】
本開示の実施例は、バックグラウンドアプリケーションの表示方法による操作上の不便さを解決するために、バックグラウンドアプリケーションの表示方法及び移動端末を提供する。
【０００５】
上記技術的課題を解決するために、本開示は、以下のように実現される。
【０００６】
第１の態様では、本開示の実施例に係るバックグラウンドアプリケーションの表示方法は、
少なくとも１つのバックグラウンドアプリケーションのアプリケーションアイコン又はアプリケーションインタフェースのサムネイルを含むバックグラウンドアプリケーションインタフェースを表示することと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示することとを含む。
【０００７】
第２の態様では、本開示の実施例に係る移動端末は、
少なくとも１つのバックグラウンドアプリケーションのアプリケーションアイコン又はアプリケーションインタフェースのサムネイルを含むバックグラウンドアプリケーションインタフェースを表示するための第１の表示モジュールと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示するための第２の表示モジュールとを含む。
【０００８】
第３の態様では、本開示の実施例に係る移動端末は、メモリと、プロセッサと、前記メモリに記憶され、前記プロセッサ上で実行可能で、前記プロセッサによって実行されると、上記バックグラウンドアプリケーションの表示方法のステップを実現するコンピュータプログラムと、を含む。
【０００９】
第４の態様では、本開示の実施例に係るコンピュータ読み取り可能な記憶媒体は、記憶プロセッサによって実行されると、上記バックグラウンドアプリケーションの表示方法のステップを実現するコンピュータプログラムが記憶されている。
【００１０】
本開示の実施例では、バックグラウンドアプリケーションインタフェースを表示する。そして、バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示する。このように、複数のバックグラウンドアプリケーションの関連情報をバックグラウンドアプリケーションの分類インタフェースに表示できるため、バックグラウンドアプリケーションに対する操作がより便利になる。
【図面の簡単な説明】
【００１１】
本開示の実施例の技術的解決手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１２】
【図１】図１は、本開示の一実施例に係るバックグラウンドアプリケーションの表示方法のフローチャートである。
【図２】図２は、本開示の一実施例に係る別のバックグラウンドアプリケーションの表示方法のフローチャートである。
【図３】図３は、本開示の一実施例に係る別のバックグラウンドアプリケーションの表示方法の例示的な図その１である。
【図４】図４は、本開示の一実施例に係る別のバックグラウンドアプリケーションの表示方法の例示的な図その２である。
【図５】図５は、本開示の一実施例に係る移動端末の構造図である。
【図６】図６は、本開示の一実施例に係る別の移動端末の構造図である。
【図７】図７は、本開示の一実施例に係る別の移動端末の構造図である。
【図８】図８は、本開示の一実施例に係る別の移動端末の構造図である。
【図９】図９は、本開示の一実施例に係る移動端末のハードウェア構造の概略図である。
【発明を実施するための形態】
【００１３】
以下、本開示の実施例における図面を参照しながら、本開示の実施例における技術的解決手段を明確かつ完全的に説明し、明らかに、説明される実施例は、本開示の実施例の一部であり、すべてではない。本開示の実施例に基づいて、当業者が創造的な労働をしない前提で得られる他のすべての実施例は、いずれも本開示の保護範囲に属するものである。
【００１４】
図１を参照し、図１は、本開示の一実施例に係るバックグラウンドアプリケーションの表示方法のフローチャートであり、図１に示すように、以下のステップ１０１〜１０２を含む。
【００１５】
ステップ１０１では、少なくとも１つのバックグラウンドアプリケーションのアプリケーションアイコン又はアプリケーションインタフェースのサムネイルを含むバックグラウンドアプリケーションインタフェースを表示する。
【００１６】
バックグラウンドアプリケーションインタフェースは、少なくとも１つのバックグラウンドアプリケーションのアプリケーションアイコン又はアプリケーションインタフェースのサムネイルを含み、例えば、上記バックグラウンドアプリケーションは、通信アプリケーション、決済アプリケーション、及びゲームアプリケーションなどのアプリケーションのうちの少なくとも１つであってよく、当然のことながら、具体的なタイプは、ここに限定されない。
【００１７】
なお、上記少なくとも１つのバックグラウンドアプリケーションの表示形式は、いずれもアプリケーションアイコン、又はいずれもインタフェースのサムネイルという形式であってもよく、一部がアプリケーションアイコン、一部がインタフェースのサムネイルという形式であってもよく、ここには特に限定されない。
【００１８】
ステップ１０２では、前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示する。
【００１９】
当該ステップでは、バックグラウンドアプリケーションの分類インタフェースには、バックグラウンドアプリケーションの多くの情報が含まれており、これにより、移動端末のバックグラウンドアプリケーションに対する表示効果が優れている一方で、ユーザによるバックグラウンドアプリケーションに対する操作がより便利になる。ユーザがバックグラウンドアプリケーションを検索する効率を向上させたり、１つのバックグラウンドアプリケーションコレクションに含まれるバックグラウンドアプリケーションを一括で終了させ、バックグラウンドアプリケーションを操作する効率を向上させたりすることができる。
【００２０】
移動端末が第１の入力を受信すると、バックグラウンドアプリケーションインタフェースに含まれる少なくとも１つのバックグラウンドアプリケーションを分類して、少なくとも１つのバックグラウンドアプリケーションコレクションを取得し、少なくとも１つのバックグラウンドアプリケーションコレクションに関連する情報を含むバックグラウンドアプリケーションの分類インタフェースを表示することができる。例えば、第１の入力は、バックグラウンドアプリケーションに対するピンチイン操作又は押圧操作である。
【００２１】
当然のことながら、移動端末は、バックグラウンドアプリケーションインタフェースを表示するとき、バックグラウンドアプリケーションインターフェイスに含まれる少なくとも１つのバックグラウンドアプリケーションを分類することもできる。例えば、移動端末がバックグラウンドアプリケーションインタフェースを表示するとき、プリセット条件が満たされていることを自動的に検出すると、バックグラウンドアプリケーションを分類することができる。例えば、移動端末は、バックグラウンドアプリケーションの数を検出でき、その数がプリセット値を超えると、バックグラウンドアプリケーションを分類することができる。プリセット値は、５、７、又は１０であってよく、ここには特に限定されない。さらに、移動端末は、移動端末の傾斜角度がプリセット角度値を超えるか否かを検出することもでき、プリセット角度値を超えると、バックグラウンドアプリケーションを分類することができる。プリセット角度値は、３度、５度、又は７度などであってよく、ここには特に限定されない。
【００２２】
第１のバックグラウンドアプリケーションコレクションは、以下のバックグラウンドアプリケーションコレクションのいずれかであってよく、例えば、バックグラウンドアプリケーションの分類インタフェースには、ソーシャルソフトウェアのアプリケーションアイコン又はアプリケーションインタフェースのサムネイルのバックグラウンドアプリケーションコレクション、及び決済ソフトウェアのアプリケーションアイコン又はアプリケーションインタフェースのサムネイルのバックグラウンドアプリケーションコレクションが含まれている場合、バックグラウンドアプリケーションの分類インタフェースにソーシャルソフトウェアのアプリケーションアイコン又はアプリケーションインタフェースのサムネイルが表示されたときに、第１のバックグラウンドアプリケーションコレクションは、ソーシャルソフトウェアのアプリケーションアイコン又はアプリケーションインタフェースのサムネイルを含むバックグラウンドアプリケーションコレクションである。同様に、バックグラウンドアプリケーションの分類インタフェースに決済ソフトウェアのアプリケーションアイコン又はアプリケーションインタフェースのサムネイルが表示されたときに、第１のバックグラウンドアプリケーションコレクションは、決済ソフトウェアのアプリケーションアイコン又はアプリケーションインタフェースのサムネイルを含むバックグラウンドアプリケーションコレクションである。
【００２３】
分類インタフェースに含まれる少なくとも１つのバックグラウンドアプリケーションコレクションの識別情報は、具体的には、バックグラウンドアプリケーションコレクションのキーワード、バックグラウンドアプリケーションコレクションの番号、及びバックグラウンドアプリケーションコレクションの識別記号などのうちの少なくとも１つであってよい。例えば、キーワードは、ソーシャル、生活、財務などであってよく、番号は、第１のカテゴリ、第２のカテゴリ、及び第３のカテゴリであってよく、識別記号は、長方形、三角形、又は菱形などであってよい。
【００２４】
さらに、少なくとも１つのバックグラウンドアプリケーションコレクションの識別情報が表示されている間、バックグラウンドアプリケーションの分類インタフェースには、第１のバックグラウンドアプリケーションコレクションのうちのバックグラウンドアプリケーションのアプリケーションアイコン又はアプリケーションインタフェースのサムネイルも含まれており、当然のことながら、アプリケーションアイコン又はアプリケーションインタフェースのサムネイルには、ロックボタン、削除ボタン、アプリケーションの名前、アプリケーションの番号、又はアプリケーションのバックグラウンドでの実行時間などの他の情報が表示されてもよい。
【００２５】
なお、第１のバックグラウンドアプリケーションコレクションのうちのアプリケーションアイコン又はアプリケーションインタフェースのサムネイルの数が多い場合、一部のアプリケーションアイコン又はアプリケーションインタフェースのサムネイルのみを表示することができ、ユーザからのスライド入力を受信すると、これまで表示されていなかった一部のアプリケーションアイコン又はアプリケーションインタフェースのサムネイルを、バックグラウンドアプリケーションの分類インタフェースに表示することができる。
【００２６】
当該実施例では、ステップ１０１及び１０２により、バックグラウンドアプリケーションの分類インタフェースは、少なくとも１つのバックグラウンドアプリケーションコレクションの識別情報、及び第１のバックグラウンドアプリケーションコレクションのうちのバックグラウンドアプリケーションのアプリケーションアイコン又はアプリケーションインタフェースのサムネイルを含んでよい。このように、１つのバックグラウンドアプリケーションの分類インタフェースには、複数のバックグラウンドアプリケーションの情報が含まれており、上記バックグラウンドアプリケーションの表示方法により、バックグラウンドアプリケーションに対する操作がより便利になり、例えば、バックグラウンドアプリケーションの分類インタフェースでバックグラウンドアプリケーションをすばやく検索することができ、また、１回の操作で１つのバックグラウンドアプリケーションコレクションに含まれるすべてのバックグラウンドアプリケーションを終了させることができるため、バックグラウンドアプリケーションを終了させる効率を向上させる。
【００２７】
さらに、上記移動端末は、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称する）、モバイルインターネットデバイス（Ｍｏｂｉｌｅ  Ｉｎｔｅｒｎｅｔ  Ｄｅｖｉｃｅ、ＭＩＤ）、又はウェアラブルデバイス（Ｗｅａｒａｂｌｅ  Ｄｅｖｉｃｅ）などであってよい。
【００２８】
本開示の実施例では、バックグラウンドアプリケーションインタフェースを表示する。そして、バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示する。このように、複数のバックグラウンドアプリケーションの関連情報をバックグラウンドアプリケーションの分類インタフェースに表示できるため、バックグラウンドアプリケーションに対する操作がより便利になる。
【００２９】
図２を参照し、図２は、本開示の一実施例に係る別のバックグラウンドアプリケーションの表示方法のフローチャートである。本実施例と上記実施例との主な違いは、バックグラウンドアプリケーションの分類インタフェースには、一括終了ボタン、ロックボタン、及び終了ボタンのうちの少なくとも１つがさらに表示され、また、移動端末が、受信された、それぞれ一括終了ボタン、ロックボタン、又は終了ボタンに対する入力に基づいて、第１のバックグラウンドアプリケーションコレクションに対して該当操作を実行することができることである。図２に示すように、以下のステップ２０１〜２０６を含む。
【００３０】
ステップ２０１では、少なくとも１つのバックグラウンドアプリケーションのアプリケーションアイコン又はアプリケーションインタフェースのサムネイルを含むバックグラウンドアプリケーションインタフェースを表示する。
【００３１】
バックグラウンドアプリケーションインタフェースは、少なくとも１つのバックグラウンドアプリケーションのアプリケーションアイコン又はアプリケーションインタフェースのサムネイルを含み、例えば、上記バックグラウンドアプリケーションは、通信アプリケーション、決済アプリケーション、及びゲームアプリケーションなどのアプリケーションのうちの少なくとも１つであってよく、当然のことながら、具体的なタイプは、ここに限定されない。
【００３２】
なお、上記少なくとも１つのバックグラウンドアプリケーションの表示形式は、いずれもアプリケーションアイコン、又はいずれもインタフェースのサムネイルという形式であってもよく、一部がアプリケーションアイコン、一部がインタフェースのサムネイルという形式であってもよく、ここには特に限定されない。
【００３３】
ステップ２０２では、前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示する。
【００３４】
ステップ２０２は、上記実施例のステップ１０２の説明を参照することができ、ここでは説明を繰り返さず、ステップ１０２と同等の有益な技術的効果を達成することができる。
【００３５】
好ましくは、前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は、アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む。
【００３６】
すべてのバックグラウンドアプリケーションは、いずれもアプリケーションラベルを持つが、必ずしもユーザによってカスタマイズされたラベルを持っていない。頻繁に使用されるか又はユーザの生活に密接に結びついているバックグラウンドアプリケーションに対して、ユーザは、当該バックグラウンドアプリケーションにユーザによってカスタマイズされたのラベルを設定することができる。例えば、通信アプリケーションに対して、ユーザによってカスタマイズされたラベルを通信として設定でき、決済アプリケーションに対して、ユーザによってカスタマイズされたラベルを財務として設定できる。なお、ユーザによってカスタマイズされたラベルの設定は、移動端末でアプリケーションストアからローカルにダウンロードするときに設定してもよく、移動端末の使用中に設定してもよいが、特に限定されない。
【００３７】
具体的には、例えば、第１のバックグラウンドアプリケーションコレクションにソーシャル機能を備えた複数のバックグラウンドアプリケーションが含まれている場合、第１のバックグラウンドアプリケーションコレクションは、上記バックグラウンドアプリケーションのいずれにも持つ、ソーシャルというユーザによってカスタマイズされたラベルに基づいて分類して得られるか、又は上記バックグラウンドアプリケーションのいずれにも持つ、ソーシャルというアプリケーションラベルに基づいて分類して得られる。
【００３８】
当該実施形態では、同一のバックグラウンドアプリケーションコレクションには、ユーザによってカスタマイズされた同一のラベル、又は同一のアプリケーションラベルを持つバックグラウンドアプリケーションが含まれているため、バックグラウンドアプリケーションに対する操作が便利になる。例えば、バックグラウンドアプリケーションを検索するか、又はユーザによってカスタマイズされた同一のラベル又は同一のアプリケーションラベルを持つバックグラウンドアプリケーションを終了させる。
【００３９】
なお、ステップ２０３、２０４、２０５及び２０６は、いずれも好ましい。
【００４０】
ステップ２０３では、受信した入力のタイプを検出し、前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示される。前記終了ボタンに対する第２の入力を受信すると、ステップ２０４を実行し、前記一括終了ボタンに対する第３の入力を受信すると、ステップ２０５を実行し、前記ロックボタンに対する第４の入力を受信すると、ステップ２０６を実行する。
【００４１】
バックグラウンドアプリケーションの分類インタフェースの表示形式を図３及び図４に示し、例えば、図３では、バックグラウンドアプリケーションの分類インタフェースには、識別情報ボックスが表示されており、識別情報ボックスには、少なくとも１つのバックグラウンドアプリケーションコレクションの識別情報、例えば、カテゴリ１、カテゴリ２、カテゴリ３、カテゴリ４、及び対応する識別記号が含まれており、当然のことながら、バックグラウンドアプリケーションの分類インタフェースには、さらに、カテゴリ１のアプリケーションアイコン１、アプリケーションアイコン２、アプリケーションアイコン３、アプリケーションアイコン４、及びアプリケーションアイコン５が表示されており、また、バックグラウンドアプリケーションの分類インタフェースには、さらに、一括終了ボタンが表示されている。なお、各アプリケーションアイコンには、さらに、ロックボタンと終了ボタンが表示されており、図３から分かるように、ロック状態にあるアプリケーションアイコン２を除いて、他のすべてのアプリケーションアイコンがロック解除状態にある。
【００４２】
また、図４と図３の違いは、図４のカテゴリ１のバックグラウンドアプリケーションの表示方法がアプリケーションサムネイルの形式であり、かつ図４には４つのバックグラウンドアプリケーションのアプリケーションサムネイルのみが表示されていることである。これにより、アプリケーションアイコンの表示方法については、より多くのバックグラウンドアプリケーションをバックグラウンドアプリケーションの分類インタフェースに表示でき、アプリケーションサムネイルの表示方法については、より完全なバックグラウンドアプリケーション情報を、バックグラウンドアプリケーションの分類インタフェースに表示できる。
【００４３】
ステップ２０４では、前記第２の入力に対応するバックグラウンドアプリケーションを終了させる。
【００４４】
終了ボタンに対する第２の入力は、終了ボタンに対するタッチ操作であってもよく、終了ボタンをオンにするようにトリガーする音声コマンドなどであってもよい。具体的な形式は、ここに限定されない。
【００４５】
また、ユーザの体肢がターゲットバックグラウンドアプリケーションを押圧して、ターゲット方向に沿ってスライドするという操作を受信すると、同様にターゲットバックグラウンドアプリケーションを終了させることもでき、ターゲット方向は、ターゲットバックグラウンドアプリケーションのアプリケーションアイコン又はアプリケーションインタフェースのサムネイルからターゲットバックグラウンドアプリケーションに対応する識別情報への方向であってよい。
【００４６】
当該ステップでは、第２の入力に対応するバックグラウンドアプリケーションを終了させると、プロセッサの処理速度を向上させるため、移動端末の使用感を向上させる。
【００４７】
ステップ２０５では、前記第１のバックグラウンドアプリケーションコレクションのうち、ロック解除されたバックグラウンドアプリケーションを終了させ、前記ロック解除されたバックグラウンドアプリケーションは、アプリケーションアイコン又はアプリケーションインタフェースのサムネイルに表示されるロックボタンがロック解除状態にあるバックグラウンドアプリケーションである。
【００４８】
一括終了ボタンに対する第３の入力は、一括終了ボタンに対するタッチ操作、又は一括終了ボタンをオンにするようにトリガーする音声コマンドなどであってよい。
【００４９】
当該ステップでは、第１のバックグラウンドアプリケーションコレクションのうちのバックグラウンドアプリケーションの一部をロック状態に設定してから、一括終了ボタンに対する第３の入力を受信して、第１のバックグラウンドアプリケーションコレクションのうち、ロック解除されたバックグラウンドアプリケーションを終了させることができ、このように、終了させる必要がある複数のバックグラウンドアプリケーションを一括終了させ、終了させる必要がないバックグラウンドアプリケーションを保持できるため、バックグラウンドアプリケーションを終了させる効率を向上させる。
【００５０】
ステップ２０６では、前記第４の入力に対応するロックボタンに対して、状態切り替えを行い、前記状態切り替えは、ロック状態からロック解除状態への切り替え、又はロック解除状態からロック状態への切り替えを含む。
【００５１】
バックグラウンドアプリケーションがロックされている場合、バックグラウンドアプリケーションに対応するロックボタンもロック状態にあり、当該ロックボタンに対する第４の入力を受信すると、当該ロックボタンがロック状態からロック解除状態に切り替えられ、当該ロックボタンに対応するバックグラウンドアプリケーションもロック状態からロック解除状態に切り替えられる。なお、ロック解除状態からロック状態への切り替えは、上記と同じであり、ここでは説明を繰り返さない。
【００５２】
また、第４の入力は、ロックボタンに対するタッチ操作、又はロックボタンをオン／オフにするようにトリガーする音声コマンドなどであってよい。
【００５３】
当該ステップでは、ロックボタンの状態を切り替えることにより、当該ロックボタンに対応するバックグラウンドアプリケーションの状態を切り替えることができる。当該バックグラウンドアプリケーションがロック状態にある場合に、一括終了ボタンに対する第３の入力を受信すると、当該バックグラウンドアプリケーションが終了されず、当該バックグラウンドアプリケーションがロック解除状態にある場合に、一括終了ボタンに対する第３の入力を受信すると、当該バックグラウンドアプリケーションが終了される。このように、バックグラウンドアプリケーションを終了させる方法をより柔軟にすることができる。
【００５４】
好ましくは、前記バックグラウンドアプリケーションの分類インタフェースを表示した後に、前記方法はさらに次のことを含む。
【００５５】
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示する。
【００５６】
第１のバックグラウンドアプリケーションコレクションの識別情報が財務であり、当該バックグラウンドアプリケーションコレクションのうちのアプリケーションがすべて終了した場合に、当該バックグラウンドアプリケーションコレクションを削除し、第２のバックグラウンドアプリケーションコレクションのうちのバックグラウンドアプリケーションのアプリケーションアイコン又はアプリケーションインタフェースのサムネイルを、バックグラウンドアプリケーションの分類インタフェースに表示し、第２のバックグラウンドアプリケーションコレクションの識別情報は、チャットソフトウェア又は生活であってよい。
【００５７】
本開示の実施形態では、第１のバックグラウンドアプリケーションコレクションのうちのバックグラウンドアプリケーションがすべて終了した場合に、前記第１のバックグラウンドアプリケーションコレクションをバックグラウンドアプリケーションの分類インタフェースから削除し、このように、移動端末の処理速度を向上させ、移動端末の使用感を向上させることができる。同時に、第２のバックグラウンドアプリケーションコレクションのうちのバックグラウンドアプリケーションのアプリケーションアイコン又はアプリケーションインタフェースのサムネイルをさらに表示し、このように、ユーザが入力したコマンドに基づいて第２のバックグラウンドアプリケーションコレクションのうちのバックグラウンドアプリケーションのアプリケーションアイコン又はアプリケーションインタフェースのサムネイルを表示することを回避し、モバイル端末がよりスマートになり、移動端末の使用感をさらに向上させる。
【００５８】
好ましくは、前記バックグラウンドアプリケーションの分類インタフェースを表示した後に、前記方法はさらに次のことを含む。
【００５９】
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示する。
【００６０】
現在のバックグラウンドアプリケーションに基づいて前記バックグラウンドアプリケーションインタフェースを表示することについては、例えば、ソーシャルソフトウェアのアプリケーションアイコン又はアプリケーションインタフェースのサムネイルに対する第５の入力を受信すると、当該ソーシャルソフトウェアのアプリケーションアイコン又はアプリケーションインタフェースのサムネイルを含むバックグラウンドアプリケーションインタフェースを移動端末が直接表示する。
【００６１】
第５の入力は、バックグラウンドアプリケーションインタフェースにおけるアプリケーションアイコン又はアプリケーションインタフェースのサムネイルに対するピンチイン操作であってよく、なお、ピンチイン操作は、２本の指のピンチイン操作、３本の指のピンチイン操作、又は４本の指のピンチイン操作などであってよい。当然のことながら、上記２本の指、３本の指、及び４本の指は、同じ手の指であってもよいし、異なる手の指であってもよい。また、第５の入力は、バックグラウンドアプリケーションインタフェースにおけるアプリケーションアイコン又はアプリケーションインタフェースのサムネイルに対する押圧操作などであってもよく、第５の入力の具体的な形式は、ここに限定されない。
【００６２】
本開示の実施形態では、第５の入力を受信すると、現在のバックグラウンドアプリケーションに基づいて前記バックグラウンドアプリケーションインタフェースを表示する。このように、移動端末は、バックグラウンドアプリケーションインタフェースとバックグラウンドアプリケーションの分類インタフェースをより便利に切り替えることができるため、よりスマートになる。
【００６３】
本開示の実施例では、ステップ２０１〜２０６により、移動端末は、受信された、それぞれ一括終了ボタン、ロックボタン、又は終了ボタンに対する入力に基づいて、第１のバックグラウンドアプリケーションコレクションに対して該当操作を実行することができるため、移動端末の操作効果を向上させる。
【００６４】
図５を参照し、図５は、本開示の一実施例に係る移動端末の構造図であり、上記実施例におけるバックグラウンドアプリケーションの表示方法の詳細を実現し、同等の効果を達成することができる。図５に示すように、移動端末５００は、
少なくとも１つのバックグラウンドアプリケーションのアプリケーションアイコン又はアプリケーションインタフェースのサムネイルを含むバックグラウンドアプリケーションインタフェースを表示するための第１の表示モジュール５０１と、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示するための第２の表示モジュール５０２とを含む。
【００６５】
好ましくは、図６を参照し、前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示される。
【００６６】
前記移動端末５００は、さらに、
アプリケーションアイコン又はアプリケーションインタフェースのサムネイルに表示される終了ボタンに対する第２の入力を受信すると、前記第２の入力に対応するバックグラウンドアプリケーションを終了させるための第１の終了モジュール５０３、又は
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させるための第２の終了モジュール５０４、又は
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うための切り替えモジュール５０５を含む。
【００６７】
好ましくは、図７を参照し、前記移動端末５００は、さらに
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示するための第３の表示モジュール５０６を含む。
【００６８】
好ましくは、前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む。
【００６９】
好ましくは、図８を参照し、前記移動端末５００は、さらに、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示するための第４の表示モジュール５０７を含む。
【００７０】
本開示の実施例に係る移動端末は、図１〜図５の方法の実施例において移動端末によって実現される各プロセスを実現することができ、重複を避けるために、ここでは説明を繰り返さない。本開示の実施例は、また、バックグラウンドアプリケーションに対する操作をより便利にすることができる。
【００７１】
図９は、本開示の一実施例に係る移動端末のハードウェア構造の概略図である。 
【００７２】
当該移動端末９００は、無線周波数ユニット９０１、ネットワークモジュール９０２、オーディオ出力ユニット９０３、入力ユニット９０４、センサ９０５、表示ユニット９０６、ユーザ入力ユニット９０７、インタフェースユニット９０８、メモリ９０９、プロセッサ９１０、電源９１１などの部品を含むが、これらに限定されない。当業者が理解できるように、図９に示す移動端末の構造は、移動端末の限定を構成するものではなく、移動端末は、図示よりも多い又は少ない部品を含んでもよく、ある部品を組み合わせたり、部品を異なるように配置したりしてもよい。本開示の実施例では、移動端末は、携帯電話、タブレットコンピュータ、ノートパソコン、パームトップコンピュータ、車載端末、ウェアラブルデバイス及び歩数計などを含むが、これらに限定されない。
【００７３】
プロセッサ９１０は、
少なくとも１つのバックグラウンドアプリケーションのアプリケーションアイコン又はアプリケーションインタフェースのサムネイルを含むバックグラウンドアプリケーションインタフェースを表示し、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示する。
【００７４】
好ましくは、前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、前記プロセッサ９１０は、さらに、
アプリケーションアイコン又はアプリケーションインタフェースのサムネイルに表示される終了ボタンに対する第２の入力を受信すると、前記第２の入力に対応するバックグラウンドアプリケーションを終了させ、或いは
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させ、或いは
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行う。
【００７５】
好ましくは、前記プロセッサ９１０は、さらに、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示する。
【００７６】
好ましくは、前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む。
【００７７】
好ましくは、前記プロセッサ９１０は、さらに、前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示する。
【００７８】
本開示の実施例は、また、バックグラウンドアプリケーションに対する操作をより便利にすることができる。
【００７９】
本開示の実施例では、無線周波数ユニット９０１は、情報の送受信中又は通話中に信号の送受信に用いられてよく、具体的には、基地局からのダウンリンクデータを受信した後、プロセッサ９１０に処理させ、また、アップリンクデータを基地局に送信することを理解されたい。一般に、無線周波数ユニット９０１は、アンテナ、少なくとも１つの増幅器、送受信機、カプラ、低雑音増幅器、デュプレクサなどを含むが、これらに限定されない。また、無線周波数ユニット９０１は、さらに無線通信システムによりネットワーク及び他の装置と通信することができる。
【００８０】
移動端末は、ネットワークモジュール９０２により無線のブロードバンドインターネットアクセスをユーザに提供して、ユーザの電子メールの送受信、ウェブの閲覧及びストリーミングメディアのアクセスなどを助ける。
【００８１】
オーディオ出力ユニット９０３は、無線周波数ユニット９０１又はネットワークモジュール９０２によって受信されるか又はメモリ９０９に記憶されたオーディオデータをオーディオ信号に変換して、音声として出力することができる。さらに、オーディオ出力ユニット９０３は、さらに移動端末９００によって実行される特定の機能に関連するオーディオ出力（例えば、呼出音、メッセージ着信音など）を提供することができる。オーディオ出力ユニット９０３は、スピーカ、ブザー、受話器などを含む。
【００８２】
入力ユニット９０４は、オーディオ又はビデオ信号を受信する。入力ユニット９０４は、グラフィック処理ユニット（Ｇｒａｐｈｉｃｓ  Ｐｒｏｃｅｓｓｉｎｇ  Ｕｎｉｔ、ＧＰＵ）９０４１及びマイク９０４２を含んでよく、グラフィック処理ユニット９０４１は、動画撮影モード又は第１の画像撮影モードで第１の画像撮影装置（例えば、カメラ）によって取得された静止画像又はビデオの第１の画像データを処理する。処理後の第１の画像フレームは、表示ユニット９０６に表示されてよい。グラフィック処理ユニット９０４１によって処理された第１の画像フレームは、メモリ９０９（又は他の記憶媒体）に記憶されてもよく、無線周波数ユニット９０１又はネットワークモジュール９０２により送信されてもよい。マイク９０４２は、音声を受信し、かつこのような音声をオーディオデータに処理することができる。処理後のオーディオデータを、電話モードの場合に無線周波数ユニット９０１によって移動通信基地局に送信されるフォーマットに変換して出力することができる。
【００８３】
移動端末９００は、さらに、光センサ、動きセンサ、及び他のセンサなどの少なくとも１つのセンサ９０５を含んでよい。具体的には、光センサは、環境光線の明るさに応じて表示パネル９０６１の輝度を調節することができる環境光センサと、移動端末９００が耳元に移動するときに、表示パネル９０６１及び／又はバックライトをオフにすることができる近接センサとを含む。動きセンサの１種として、加速センサは、各方向（通常は３軸）の加速度の大きさを検出でき、静止時の重力の大きさ及び方向を検出でき、移動端末の姿勢の識別（例えば、横／縦画面切り替え、関連ゲーム、磁力計の姿勢較正）、振動識別に関連する機能（例えば、歩数計、タッピング）等に用いられてよく、センサ９０５は、さらに、指紋センサ、圧力センサ、虹彩センサ、分子センサ、ジャイロスコープ、気圧計、湿度計、温度計、赤外線センサなどを含んよく、ここでは説明を繰り返さない。
【００８４】
表示ユニット９０６は、ユーザによって入力された情報又はユーザに提供された情報を表示する。表示ユニット９０６は、表示パネル９０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル９０６１を構成してよい。
【００８５】
ユーザ入力ユニット９０７は、入力した数字又は文字情報を受信するとともに、移動端末におけるユーザ設定及び機能制御に関連するキー信号入力を生成する。具体的には、ユーザ入力ユニット９０７は、タッチパネル９０７１及び他の入力装置９０７２を含む。タッチパネル９０７１は、タッチスクリーンとも呼ばれ、その上又は近くでのユーザのタッチ操作（例えば、指、スタイラスなどの任意の適切な物体又は付属品を使用した、タッチパネル９０７１又はタッチパネル９０７１の近くでのユーザ操作）を収集することができる。タッチパネル９０７１は、タッチ検出装置及びタッチコントローラの２つの部分を含んでよい。タッチ検出装置は、ユーザのタッチ位置を検出し、タッチ操作による信号を検出し、信号をタッチコントローラに送信し、タッチコントローラは、タッチ検出装置からタッチ情報を受信し、かつタッチポイント座標に変換し、次にプロセッサ９１０に送信し、プロセッサ９１０から送信されたコマンドを受信し実行する。また、抵抗式、容量式、赤外線式、表面弾性波式などの複数のタイプでタッチパネル９０７１を実現することができる。タッチパネル９０７１に加えて、ユーザ入力ユニット９０７は、また、他の入力装置９０７２を含んでよい。具体的には、他の入力装置９０７２は、物理的キーボード、機能キー（ボリューム調節キー、スイッチキーなど）、トラックボール、マウス、及び操作レバーを含むが、これらに限定されず、ここでは説明を繰り返さない。
【００８６】
さらに、タッチパネル９０７１は、表示パネル９０６１をカバーしてよく、タッチパネル９０７１がその上又はその近くでのタッチ操作を検出した後、プロセッサ９１０に送信してタッチイベントのタイプを決定し、その後にプロセッサ９１０は、タッチイベントのタイプに基づいて表示パネル９０６１上に対応する視覚的出力を提供する。図９では、タッチパネル９０７１及び表示パネル９０６１は、２つの独立した部品として移動端末の入力及び出力機能を実現するが、いくつかの実施例では、タッチパネル９０７１及び表示パネル９０６１を一体化して、移動端末の入力及び出力機能を実現することができ、ここでは限定されない。
【００８７】
インタフェースユニット９０８は、外部装置を移動端末９００に接続するためのインタフェースである。例えば、外部装置は、有線又は無線ヘッドセットポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット９０８は、外部装置からの入力（例えば、データ情報、電力など）を受信するとともに、受信した入力を移動端末９００内の１つ又は複数の素子に送信するか、又は移動端末９００と外部装置との間にデータを送信する。
【００８８】
メモリ９０９は、ソフトウェアプログラム及び様々なデータを記憶することができる。メモリ９０９は、主に、オペレーティングシステム、少なくとも１つの機能に必要なアプリケーション（音声再生機能、第１の画像再生機能など）などを記憶することができるプログラム記憶領域と、携帯電話の用途に応じて作成されたデータ（オーディオデータ、電話帳など）を記憶することができるデータ記憶領域を含んでよい。また、メモリ９０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００８９】
プロセッサ９１０は、移動端末の制御センターであり、様々なインタフェース及び回線により移動端末全体の各部分に接続され、メモリ９０９に記憶されたソフトウェアプログラム及び／又はモジュールを動作させるか又は実行し、メモリ９０９に記憶されたデータを呼び出すことにより、移動端末の様々な機能を実行し、データを処理して、移動端末全体を監視する。プロセッサ９１０は、１つ又は複数の処理ユニットを含んでよく、好ましくは、プロセッサ９１０は、主にオペレーティングシステム、ユーザインタフェース、及びアプリケーションなどを処理するアプリケーションプロセッサと、主に無線通信を処理するモデムプロセッサとを集積することができる。上記モデムプロセッサは、プロセッサ９１０に集積されない場合があることを理解されたい。
【００９０】
移動端末９００は、また、各部品に電力を供給するための電源９１１（電池など）を含んでよく、好ましくは、電源９１１は、電源管理システムによりプロセッサ９１０に論理的に接続されて、電源管理システムにより充電、放電、及び電力消費の管理などの機能を実現する。
【００９１】
なお、移動端末９００は、いくつかの未図示の機能モジュールを含むが、ここでは説明を繰り返さない。
【００９２】
好ましくは、本開示の実施例は、プロセッサ９１０と、メモリ９０９と、メモリ９０９に記憶されて前記プロセッサ９１０上で実行可能で、プロセッサ９１０によって実行されたと、上記バックグラウンドアプリケーションの表示方法の実施例の各プロセスを実現し、かつ同等の技術的効果を達成することができるコンピュータプログラムとを含む移動端末をさらに提供し、重複を避けるために、ここでは説明を繰り返さない。
【００９３】
本開示の実施例は、プロセッサによって実行されたと、上記バックグラウンドアプリケーションの表示方法の実施例の各プロセスを実現し、かつ同等の技術的効果を達成することができるコンピュータプログラムが記憶されているコンピュータ読み取り可能な記憶媒体をさらに提供し、重複を避けるために、ここでは説明を繰り返さない。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク、光ディスクなどであってよい。
【００９４】
なお、本明細書では、用語「含む」、「備える」又はそれらの任意の変形は、非排他的な包含をカバーすることを意図することにより、一連の要素を含むプロセス、方法、物体、又は装置は、それらの要素を含むだけでなく、明確に列記されていない他の要素も含み、又は、このようなプロセス、方法、物体、又は装置に固有の要素をさらに含む。より多くの限定がない場合、語句「１つ…を含む」により限定された要素は、当該要素を含むプロセス、方法、物体、又は装置にさらに別の同一の要素が存在することを排除するものではない。
【００９５】
以上の実施の説明により、当業者は、上記実施例における方法が、ソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術的解決手段は、本質的又は従来技術に寄与する部分がソフトウェア製品の形態で具現化されてもよく、当該コンピュータソフトウェア製品は、記憶媒体（例えば、ＲＯＭ／ＲＡＭ、磁気ディスク、光ディスク）内に記憶され、１台の端末（携帯電話、コンピュータ、サーバ、エアコン又はネットワーク機器などであってよい）に本開示の各実施例に記載の方法を実行させるためのいくつかの命令を含む。
【００９６】
以上、添付図面を参照して本開示の実施例を説明したが、本開示は、上記具体的な実施形態に限定されるものではなく、上記具体的な実施形態は、例示にすぎず、限定的なものではなく、本開示の示唆の下で、当業者であれば、本開示の趣旨及び特許請求の範囲の保護範囲から逸脱せずに多くの形態を行うことができ、これらはいずれも本開示の保護の範囲内に属する。
【図１】
2021523510.tif 000003
【図２】
2021523510.tif 000004
【図３】
2021523510.tif 000005
【図４】
2021523510.tif 000006
【図５】
2021523510.tif 000007
【図６】
2021523510.tif 000008
【図７】
2021523510.tif 000009
【図８】
2021523510.tif 000010
【図９】
2021523510.tif 000011
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
移動端末に適用されるバックグラウンドアプリケーションの表示方法であって、
少なくとも１つのバックグラウンドアプリケーションのアプリケーションアイコン又はアプリケーションインタフェースのサムネイルを含むバックグラウンドアプリケーションインタフェースを表示することと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示することと、を含む、バックグラウンドアプリケーションの表示方法。
【請求項２】
前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、
前記バックグラウンドアプリケーションの分類インタフェースを表示した後に、
アプリケーションアイコン又はアプリケーションインタフェースのサムネイルに表示される終了ボタンに対する第２の入力を受信すると、前記第２の入力に対応するバックグラウンドアプリケーションを終了させ、或いは
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させ、或いは
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うことをさらに含む、請求項１に記載の方法。
【請求項３】
前記バックグラウンドアプリケーションの分類インタフェースを表示した後に、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示することをさらに含む、請求項２に記載の方法。
【請求項４】
前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は
アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む、請求項１に記載の方法。
【請求項５】
前記バックグラウンドアプリケーションの分類インタフェースを表示した後に、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示することをさらに含む、請求項１〜４のいずれか１項に記載の方法。
【請求項６】
少なくとも１つのバックグラウンドアプリケーションのアプリケーションアイコン又はアプリケーションインタフェースのサムネイルを含むバックグラウンドアプリケーションインタフェースを表示するための第１の表示モジュールと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示するための第２の表示モジュールとを含む、移動端末。
【請求項７】
前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、
前記移動端末は、
アプリケーションアイコン又はアプリケーションインタフェースのサムネイルに表示される終了ボタンに対する第２の入力を受信すると、前記第２の入力に対応するバックグラウンドアプリケーションを終了させるための第１の終了モジュール、又は
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させるための第２の終了モジュール、又は
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うための切り替えモジュールをさらに含む、請求項６に記載の移動端末。
【請求項８】
前記移動端末は、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示するための第３の表示モジュールをさらに含む、請求項７に記載の移動端末。
【請求項９】
前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は
アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む、請求項６に記載の移動端末。
【請求項１０】
前記移動端末は、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示するための第４の表示モジュールをさらに含む、請求項６〜９のいずれか１項に記載の移動端末。
【請求項１１】
コンピュータプログラムが格納されているコンピュータ読み取り可能な記憶媒体であって、
該コンピュータプログラムがプロセッサによって実行されると、
少なくとも１つのバックグラウンドアプリケーションのアプリケーションアイコン又はアプリケーションインタフェースのサムネイルを含むバックグラウンドアプリケーションインタフェースを表示することと、
前記バックグラウンドアプリケーションインタフェースにおけるアプリケーションアイコン又はアプリケーションインタフェースのサムネイルに対する第１の入力を受信すると、少なくとも１つのバックグラウンドアプリケーションコレクションの識別情報と、第１のバックグラウンドアプリケーションコレクションのうちのバックグラウンドアプリケーションのアプリケーションアイコン又はアプリケーションインタフェースのサムネイルとを含むバックグラウンドアプリケーションの分類インタフェースを表示することと、を含む、バックグラウンドアプリケーションの表示方法を実現される、コンピュータ読み取り可能な記憶媒体。
【請求項１２】
前記バックグラウンドアプリケーションの分類インタフェースには、一括終了ボタンが表示され、また、前記バックグラウンドアプリケーションの分類インタフェースにおける各アプリケーションアイコン又は各アプリケーションインタフェースのサムネイルには、ロックボタンと終了ボタンのうちの少なくとも１つが表示され、
前記バックグラウンドアプリケーションの分類インタフェースを表示した後に、
アプリケーションアイコン又はアプリケーションインタフェースのサムネイルに表示される終了ボタンに対する第２の入力を受信すると、前記第２の入力に対応するバックグラウンドアプリケーションを終了させ、或いは
一括終了ボタンに対する第３の入力を受信すると、前記第１のバックグラウンドアプリケーションコレクションのうち、アプリケーションアイコン又はアプリケーションインタフェースのサムネイルに表示されるロックボタンがロック解除状態にあるバックグラウンドアプリケーションである、ロック解除されたバックグラウンドアプリケーションを終了させ、或いは
アプリケーションアイコン又はアプリケーションインタフェースのサムネイルに表示されるロックボタンに対する第４の入力を受信すると、前記第４の入力に対応するロックボタンに対して、ロック状態からロック解除状態への切り替え、又はロック解除状態からロック状態への切り替えを含む状態切り替えを行うことをさらに含む、請求項１１に記載のコンピュータ読み取り可能な記憶媒体。
【請求項１３】
前記バックグラウンドアプリケーションの分類インタフェースを表示した後に、
前記第１のバックグラウンドアプリケーションコレクションのうちのバックグラウンドアプリケーションがすべて終了した場合に、前記第１のバックグラウンドアプリケーションコレクションを前記バックグラウンドアプリケーションの分類インタフェースから削除し、第２のバックグラウンドアプリケーションコレクションのうちのバックグラウンドアプリケーションのアプリケーションアイコン又はアプリケーションインタフェースのサムネイルを表示することをさらに含む、請求項１２に記載のコンピュータ読み取り可能な記憶媒体。
【請求項１４】
前記少なくとも１つのバックグラウンドアプリケーションコレクションは、
ユーザによってカスタマイズされたラベルに基づいて、ユーザによってカスタマイズされたラベルを持つ第１のバックグラウンドアプリケーションを分類することによって得られる少なくとも１つのバックグラウンドアプリケーションコレクション、及び／又は
アプリケーションラベルに基づいて、アプリケーションラベルを持つが、ユーザによってカスタマイズされたラベルを持っていない第２のバックグラウンドアプリケーションを分類することによって得られる少なくとも１つのバックグラウンドアプリケーションコレクションを含む、請求項１１に記載のコンピュータ読み取り可能な記憶媒体。
【請求項１５】
前記バックグラウンドアプリケーションの分類インタフェースを表示した後に、
前記バックグラウンドアプリケーションの分類インタフェースにおけるアプリケーションアイコン又はアプリケーションインタフェースのサムネイルに対する第５の入力を受信すると、現在のバックグラウンドアプリケーションに基づいて前記バックグラウンドアプリケーションインタフェースを表示することをさらに含む、請求項１１〜１４のいずれか１項に記載のコンピュータ読み取り可能な記憶媒体。
【国際調査報告】
2021523510.tif 000012
2021523510.tif 000013
2021523510.tif 000014
2021523510.tif 000015